(57)【特許請求の範囲】
【請求項１】
販売機本体に対するメインドアの閉塞を外部からロック・アンロックする機械的な第１のロック機構と、販売機本体に対するメインドアの閉塞を内部においてロック・アンロックする電気的な第２のロック機構と、当該第のロック機構を起動する起動手段とを備え、前記起動手段は、第２のロック機構のロック・アンロック時に当該第２のロック機構を複数回連続して起動することを特徴とする自動販売機の施錠装置。
【請求項２】
前記起動手段はタイマーにより制御され、定期的に第２のロック機構を起動することを特徴とする自動販売機の施錠装置。
【発明の詳細な説明】
【０００１】
【産業上の利用分野】
本発明は、メインドアを販売機本体にロック・アンロックする施錠装置に関し、特に防犯対策用に開発された自動販売機の施錠装置に関するものである。
【０００２】
【従来の技術】
現在の自動販売機における施錠は、メインドアに取り付けたハンドルとこのハンドルに組み込んだ錠前とから成る、いわゆるハンドルロック式が主流となっている。ハンドルロック式では、ハンドルや錠前を破壊すると容易にメインドアが開けられてしまうため、防犯対策として、ハードロックやブルロックと呼ばれるロック機構を追加して２重施錠方式にしている。図１０に示すように、ハードロック１０１およびブルロック１０２は、それぞれ販売機本体１０３からメインドア１０４に掛け渡した鎖やロック板を、錠前により施錠するものであり、これらは自動販売機の外面に取り付けられている（図示では、ハードロック１０１およびブルロック１０２の両者を同一の図に記載している）。
【０００３】
【発明が解決しようとする課題】
このような従来の施錠装置では、いずれにあっても外部に露出すると共に、錠前による施錠となるため、犯罪者に対し視覚に訴える効果はあるものの、これら２重施錠を破壊するのは時間の長短の問題であり、十分な防犯対策にはなっていなかった。しかも、オペレータ側では、メインドアを開放する場合に、２回の解鍵操作（施錠操作も１回必要）が必要になり、取扱いが煩雑になる問題があった。
【０００４】
もっとも、機械的なハンドルロック式に代えて電子ロック式にすれば、上記の問題は解消される。しかし、かかる場合に、通電不能な保管場所や据付当初などにおいて、メインドアを開くことができないという事態が発生する。また、防犯対策が必要なのは、人通りの少ない所に設置される自動販売機に限定されるため、そのために電子ロック式専用の自動販売機を製作することは不経済となる。
【０００５】
本発明は、このような問題点を解決するためになされたものであり、取扱い性を損なうことなく、防犯性能を向上させることができる自動販売機の施錠装置を提供することを目的としている。
【０００６】
【課題を解決するための手段】
上記目的を達成すべく本発明は、販売機本体に対するメインドアの閉塞を外部からロック・アンロックする機械的な第１のロック機構と、販売機本体に対するメインドアの閉塞を内部においてロック・アンロックする電気的な第２のロック機構と、当該第のロック機構を起動する起動手段とを備え、前記起動手段は、第２のロック機構のロック・アンロック時に当該第２のロック機構を複数回連続して起動することを特徴とする。
【０００７】
この場合、起動手段が、タイマーにより制御され、定期的に第２のロック機構を起動することが、好ましい。
【００１０】
【作用】
請求項１の自動販売機の施錠装置では、内部においてメインドアを販売機本体にロック・アンロックする第２のロック機構を備えることにより、外部から第１のロック機構が破壊されても、第２のロック機構は破壊されることがなく、メインドアのロック状態を保持することができる。また、起動手段により、第２のロック機構をアンロックしておけば、通常の自動販売機と同様に、第１のロック機構により、通電の有無に関係なく、メインドアを販売機本体にロック・アンロックすることができる。さらに、起動手段により、第２のロック機構のロック・アンロック時に複数回起動することにより、ロック状態およびアンロック状態を確実なものとすることができる。
【００１１】
請求項２の自動販売機の施錠装置では、起動手段がタイマーにより制御されることにより、例えば、第２のロック機構のロック状態を、人通りの少ない深夜のみに設定することができ、防犯の目的を十分に達成することができると共に、商品のローディングなどでは、通常の自動販売機と全く同様に取り扱うことができる。また、起動手段をタイマーにより定期的に第２のロック機構を起動することによりロック状態およびアンロック状態を確実なものとすることができる。
【００１４】
【実施例】
以下、本発明の好ましい実施例を、図面を参照しながら詳細に説明する。図１は、本発明の施錠装置を組み込んだ缶飲料自動販売機の正面図、図２はその側面図である。これらの図に示すように、この自動販売機１は、販売機本体２と、販売機本体２の前面開口を開閉するメインドア３とで構成されており、メインドア３の前面には、多数の選択ボタン（接客操作部）４、表示器５、紙幣投入口６、コイン投入口７、および返却レバー（接客操作部）８などが設けられている。コイン投入口７の脇には第１ロック機構９が設けられ、また第１ロック機構９の上側のメインドア３の懐内には、第２ロック機構１０が設けらている。
【００１５】
図３ないし図５に示すように、第１のロック機構９は、一般に用いられるハンドルロック式のものであり、錠前２２を組み込んだハンドル２１と、ハンドル２１を回動自在に保持するハンドルホルダ２３と、中間部でハンドル２１に係合し、ハンドル２１の回動操作で相互に逆方向に進退する第１ロック板（移動部材）２４および第２ロック板（移動部材）２５と、販売機本体２に固定され、第１ロック板２４および第２ロック板２５に係止する上下一対の固定板（図４参照）２６，２６とで構成されている。
【００１６】
ハンドル２１は、メインドア３の外部に露出したハンドル本体２７と、錠前２２を内蔵した軸部２８と、軸部２８の尾端の偏心位置にそれぞれ取り付けられた第１ピン２９ａおよび第２ピン２９ｂとで構成されている。第１ピン２９ａには上記の第１ロック板２４が、第２ピン２９ｂには上記の第２ロック板２５がそれぞれ係合している。ハンドル本体２７は、錠前２２をキー操作することにより、ハンドルホルダ２３から突出して回動操作可能な状態になり、この状態でハンドル２１を回動させることにより、第１ピン２９ａおよび第２ピン２９ｂを介して、第１ロック板２４および第２ロック板２５が上下方向に進退する。
【００１７】
第１ロック板２４および第２ロック板２５は、メインドア３の内縁部に沿って上下に長く、かつ重なるように配設されている（図１および図５参照）。第１ロック板２４および第２ロック板２５は、断面「コ」字状に形成されたアングル材でそれぞれ構成され、第１ロック板２４が、その内側に第２ロック板２５を内包するように配設されている。第１ロック板２４の中間部には、ハンドル２１の第１ピン２９ａに向かって第１平板部３０ａが延設されており、この第１平板部３０ａに形成された第１長孔３１ａに、第１ピン２９ａが係合している。同様に、第２ロック板２５の中間部には、第２ピン２９ｂに向かって第２平板部３０ｂが延設され、この第２平板部３０ｂに形成された第２長孔３１ｂに、第２ピン２９ｂが係合している。
【００１８】
第１長孔３１ａおよび第２長孔３１ｂは、それぞれ水平方向に延びており、ハンドル２１の軸心を挟んで斜め上下にそれぞれ配設されている。これにより、ハンドル２１を時計方向に回動操作すると、第１ロック板２４が上動し、同時に第２ロック板２５が下動する。この状態から逆にハンドル２１を反時計方向に戻すと、第１ロック板２４が下動し、同時に第２ロック板２５が上動する。
【００１９】
一方、各固定板２６は、基端部が販売機本体２のシャーシに固定されており、先端部が鍔部２６ａ，２６ａおよびくびれ部２６ｂ，２６ｂを有して鏃形に形成されている。これに対応して、第１ロック板２４および第２ロック板２５には、各固定板２６の鍔部２６ａ，２６ａがくぐり抜け可能な第１ロック開口２４ａ，２５ａが、それぞれ形成されている。第１ロック板２４の第１ロック開口２４ａと、第２ロック板２５の第１ロック開口２５ａとは、相互に位置ずれして配設されており、第１ロック板２４が下動すると共に第２ロック板２５が上動して、第１ロック板２４の第１ロック開口２４ａの上端と、第２ロック板２５の第１ロック開口２５ａの下端とが、固定板２６のくびれ部２６ｂ，２６ｂに挿入された状態がロック状態であり、第１ロック板２４が上動すると共に第２ロック板２５が下動して、両第１ロック開口２４ａ，２５ａが合致した状態が、アンロック（ロック解除）状態である。すなわち、第１ロック機構９は、図３のハンドル２１を実線で示した状態でロック状態になり、２点鎖線で示した状態でアンロック状態になる。
【００２０】
なお、図示では省略されているが、第１ロック板２４および第２ロック板２５は、ばねによりロック方向に付勢されており、アンロック位置に回動操作したハンドル２１は自動的にロック位置に戻ると共に、メインドア３を閉めたときに、固定板２６が第１ロック板２４および第２ロック板２５を押し開くようにこれらに貫通して、自動的にロックが掛かるようになっている。
【００２１】
次に、図６ないし図９を参照して、第２ロック機構１０について説明する。これら図に示すように、第２ロック機構１０は、第１ロック板２４および第２ロック板２５に同時に係脱する係止板（移動阻止部材）４１と、係止板４１の係脱を案内するガイド板４２と、係止板４１を進退（係脱）させるスライド板４３と、スライド板４３の上下両端に連結された一対のソレノイド４４ａ，４４ｂとで構成されており、両ソレノイド４４ａ，４４ｂには、その駆動を制御するコントローラ（起動手段）１１が接続されている。すなわち、第２ロック機構１０は、第１ロック機構９の第１ロック板２４および第２ロック板２５を利用して、ロック・アンロック動作する構造になっている。
【００２２】
係止板４１の先端には、係止突起４１ａが形成されており、これに対応して第１ロック板２４および第２ロック板２５には、第２ロック開口２４ｂ，２５ｂがそれぞれ形成されている。両第２ロック開口２４ｂ，２５ｂは、上下に相互に位置ずれして配設されており（図６参照）、第１ロック板２４が下動すると共に第２ロック板２５が上動したロック状態において合致し、係止突起４１ａの係合を許容する（図９参照）。この係止突起４１ａの係合により、第１ロック板２４および第２ロック板２５のアンロック方向への移動が阻止され、メインドア３のロック状態が維持される。
【００２３】
また、係止板４１の尾端は山形に形成され、これを受けるようにスライド板４３の中間部に谷形の溝が形成されている。この係止板４１の尾端とスライド板４３の谷形の溝とは、直動カムを構成しており、スライド板４３が上下方向に移動することにより、係止板４１が進退して、その係止突起４１ａが第１、第２ロック板２４，２５の第２ロック開口２４ｂ，２５ｂに係脱する。なお、係止板４１には、コイルばね４５が取り付けられており、係止板４１はコイルばね４５により離脱方向に常に付勢されている。
【００２４】
スライド板４３の両端には、スライド板４３を相互（交互）に引き付ける一対のソレノイド４４ａ，４４ｂが連結されており、両ソレノイド４４ａ，４４ｂは交互に励磁され、スライド板４３を介して係止板４１を、第１、第２ロック板２４，２５の移動を阻止する位置と移動を許容する位置との間で進退させる。両ソレノイド４４ａ，４４ｂは、これに接続されたコントローラ１１により制御され、第２ロック機構１０をロック状態にするときは、このコントローラ１１により下側のソレノイド４４ｂにのみ瞬時通電して、スライド板４３を下動させ（図９参照）、アンロック状態にするときは、上側のソレノイド４４ａにのみ瞬時通電して、スライド板４３を上動させる（図６参照）。この場合、ロック動作を行う下側のソレノイド４４ｂは、ばねに置き換え得るが、停電時にロックが解除されてしまう不具合を生ずるため、常時ソレノイドに通電している必要のない構造になっている。したがって、常時ソレノイドに通電する必要のない他の構造を執ることもできる。
【００２５】
また、コントローラ１１にはタイマー１２が組み込まれており（コントローラ、タイマー共に、自動販売機に搭載されているマイコンを利用）、このタイマー１２により、犯罪多発時間帯のみ、第２ロック機構１０をロック状態にするようになっている。さらに、このタイマー１２を利用して、ロック状態およびアンロック状態を確実なものにするため、ロック状態にするときおよびアンロック状態にするときに、該当するソレノイド４４ａ，４４ｂに数回連続して通電し、かつその後、時間をおいて定期的（例えば１時間毎）に通電するようにしている。このように、犯罪多発時間帯、例えば深夜のみ第２ロック機構１０のロックを掛けることにより、昼間、集金やローディング作業を行う場合に、第１ロック機構９のみの操作で、自動販売機１を取り扱うことができる。
【００２６】
一方、非常時を想定して、上記の第２ロック機構１０のロック状態を解除可能にするために、本実施例では、多数の選択ボタン４の選択的な押釦により、第２ロック機構１０のロック状態を強制的に解除できるようになっている。この押釦手順は、暗号的な組み合わせで構成されることが、好ましい。なお、フェールセイフを観点から、停電時に、第２ロック機構１０のロック状態を解除できるようにすることも必要である。例えば、上側のソレノイド４４ａに通電できるコネクタを自動販売機１の外面に設け、或いは上側のソレノイド４４ａに通電できるバッテリー電源を内蔵して、その通電スイッチを自動販売機１の外面に設け、コネクタまたは通電スイッチをキー操作で使用できるようにする。
【００２７】
以上のように、本実施例の施錠装置によれば、ハンドルロック式の第１ロック機構９と、外部に操作部の無い、電気的な第２ロック機構１０を備え、この第２ロック機構１０をタイマー１２で制御するようにしているので、通常行われる集金やローディングの際に、煩わしい操作や通常と異なる操作を必要とすることなく、より確実な防犯性能を発揮させることができる。
【００２８】
また、この第２ロック機構１０は、通常に自動販売機１が備えるコントローラ１１やタイマー１２を利用でき、かつ第１ロック機構９の一部をも利用できる構造なので、簡単かつ低コストで構成することができる。
【００２９】
なお、本発明は、上述した実施例に限られることなく、種々の態様で実施することができる。例えば、ロック板が１枚構造のものでは、このロック板とメインドアに固定したアングル材とを、同時に貫通するように、第２ロック機構の係止板を配設し、或いはこのロック板と販売機本体に固定した固定板とを、同時に貫通するように、第２ロック機構の係止板を配設する。また、第２ロック機構のロック・アンロックを、上記した選択ボタンの選択的操作、リモートコントローラおよび磁気カードなどで制御する構造でもよい。
【００３０】
【発明の効果】
以上詳述したように、本発明の自動販売機の施錠装置は、機械的な第１のロック機構と、防犯に有効な電気的な第２のロック機構とを併用し、かつ必要なときのみ第１のロック機構に加えて第２のロック機構を働かせることができるので、メインドアの開閉に伴う、ロック機構の取扱い性を損なうことなく、防犯性を格段に向上させることができ、さらに、起動手段により第２のロック機構のロック・アンロック時に複数回起動することにより、ロック状態およびアンロック状態を確実なものとすることができる。
【図面の簡単な説明】
【図１】本発明の施錠装置を組み込んだ缶飲料自動販売機の正面図である。
【図２】本発明の施錠装置を組み込んだ缶飲料自動販売機の側面図である。
【図３】第１ロック機構の正面図である。
【図４】第１ロック機構の側面図である。
【図５】第１ロック機構の平面図である。
【図６】第２ロック機構のアンロック状態の正面図である。
【図７】第２ロック機構の側面図である。
【図８】第２ロック機構の正面図である。
【図９】第２ロック機構のロック状態の正面図である。
【図１０】従来の防犯対策を採用した缶飲料自動販売機の正面図である。
【符号の説明】
１  自動販売機
２  販売機本体
３  メインドア
４  選択ボタン
９  第１ロック機構
１０  第２ロック機構
１１  コントローラ
１２  タイマー
２４  第１ロック板
２５  第２ロック板
４１  係止板
【図１】
0003726300.tif 000002
【図２】
0003726300.tif 000003
【図３】
0003726300.tif 000004
【図４】
0003726300.tif 000005
【図５】
0003726300.tif 000006
【図６】
0003726300.tif 000007
【図７】
0003726300.tif 000008
【図８】
0003726300.tif 000009
【図９】
0003726300.tif 000010
【図１０】
0003726300.tif 000011